(57)【要約】無線通信機器によるネットワークサービススキャン時間を低減するための方法が提供される。この方法は、無線通信機器が、無線通信機器の場所を決定することを含むことが可能である。この方法は、無線通信機器が、無線通信機器の場所及び配備マッピング情報に少なくとも部分的に基づいて、無線通信機器によりサポートされるＲＡＴのサブセットを選択することを更に含むことが可能である。選択されたサブセットは無線通信機器の場所に配備されると配備マッピング情報によって示されている１つ以上のＲＡＴのみを含むことが可能である。この方法は、無線通信機器が、選択されたサブセット内に含まれる少なくとも１つのＲＡＴのためのサービススキャンを実行することを更に含むことが可能である。無線通信機器によりサポートされるＲＡＴのうちの選択されたサブセットには含まれないあらゆるＲＡＴはサービススキャンから除外され得る。
2016521094.tif 000002
【特許請求の範囲】
【請求項１】
無線通信機器によるネットワークサービススキャン時間を低減するための方法であって、前記方法は、前記無線通信機器が、
前記無線通信機器の場所を判定することと、
前記無線通信機器の前記場所及び配備マッピング情報に少なくとも部分的に基づいて前記無線通信機器によりサポートされる複数の無線アクセス技術（ＲＡＴ）のサブセットを選択することであって、前記選択されたサブセットは前記無線通信機器の前記場所に配備されると前記配備マッピング情報によって示されている１つ以上のＲＡＴのみからなる、選択することと、
前記選択されたサブセット内に含まれる少なくとも１つのＲＡＴのためのサービススキャンを実行することと、
を含み、前記選択されたサブセット内に含まれない、前記無線通信機器によりサポートされる前記複数のＲＡＴのあらゆるＲＡＴは前記サービススキャンから除外されることを特徴とする無線通信機器によるネットワークサービススキャン時間を低減するための方法。
【請求項２】
前記無線通信機器が、
前記サブセット内の少なくとも１つのＲＡＴの各々のために、前記配備マッピング情報に少なくとも部分的に基づいて配備された帯域セットを選択することを更に含み、対応するＲＡＴのために選択された配備された帯域セットは、前記無線通信機器の前記場所に配備されると前記配備マッピング情報によって示される、前記ＲＡＴにより用いられる少なくとも１つの帯域からなり、前記無線通信機器の前記場所に配備されないと前記配備マッピング情報によって示される、前記ＲＡＴにより用いられるあらゆる帯域を除外し、
前記サービススキャンを実行することが、配備された帯域セットが選択されているＲＡＴのためのサービススキャンを、前記配備された帯域セット内に含まれる帯域上でのみ実行することを特徴とする、請求項１に記載の無線通信機器によるネットワークサービススキャン時間を低減するための方法。
【請求項３】
前記配備マッピング情報は、前記無線通信機器にあらかじめ供給されることを特徴とする、請求項１に記載の無線通信機器によるネットワークサービススキャン時間を低減するための方法。
【請求項４】
前記配備マッピング情報は、複数の場所の各場所と前記場所に配備される１つ以上のＲＡＴの対応するセットとの間のマッピングを規定することを特徴とする、請求項１に記載の無線通信機器によるネットワークサービススキャン時間を低減するための方法。
【請求項５】
前記無線通信機器の前記場所を判定することは、前記無線通信機器が動作している国を判定することを含み、前記配備マッピング情報は複数の国の各国と前記国内に配備される１つ以上のＲＡＴの対応するセットとの間のマッピングを規定し、
前記サブセットを選択することは、前記無線通信機器が動作している前記国内に配備されると前記配備マッピング情報によって示されている１つ以上のＲＡＴからなる、前記無線通信機器によりサポートされる前記複数のＲＡＴのサブセットを選択することを含むことを特徴とする、請求項１から４のいずれか一項に記載の無線通信機器によるネットワークサービススキャン時間を低減するための方法。
【請求項６】
前記無線通信機器の前記場所を前記無線通信機器が入手可能でない場合、前記方法は、前記無線通信機器が、
既定のＲＡＴの優先順位付けに従って前記無線通信機器によりサポートされる前記複数のＲＡＴの少なくとも１つをスキャンすることであって、前記既定のＲＡＴの優先順位付けは、前記複数のＲＡＴの各々により用いられる帯域の数に基づいて、最も少ない帯域を用いる最も高い優先順位のＲＡＴから最も多くの帯域を用いる最も低い優先順位のＲＡＴへと、前記無線通信機器によりサポートされる前記複数のＲＡＴを優先順位付けする、スキャンすることと、
前記既定のＲＡＴの優先順位付けに従ったスキャンを介してネットワークを見つけることと、
前記見つけたネットワークにより提供される情報に少なくとも部分的に基づいて前記無線通信機器の前記場所を判定することと、
前記サービススキャンを実行する前に、前記既定のＲＡＴの優先順位付けに従ったスキャンを中止することと、
を含むことを特徴とする、請求項１から４のいずれか一項に記載の無線通信機器によるネットワークサービススキャン時間を低減するための方法。
【請求項７】
前記既定のＲＡＴの優先順位付けは、１つ以上の第２世代（２Ｇ）のＲＡＴを最も高い優先順位のグループに、１つ以上の第３世代（３Ｇ）のＲＡＴを第２の優先順位のグループに、及び１つ以上の第４世代（４Ｇ）のＲＡＴを第３の優先順位のグループに優先順位付けすることを特徴とする、請求項６に記載の無線通信機器によるネットワークサービススキャン時間を低減するための方法。
【請求項８】
少なくとも１つの送受信機であって、前記少なくとも１つの送受信機は前記無線通信機器によりサポートされる複数の無線アクセス技術（ＲＡＴ）に従ってデータを送受信するように構成された、送受信機と、
前記少なくとも１つの送受信機に結合された処理回路であって、前記処理回路は、前記無線通信機器が、少なくとも、
前記無線通信機器の場所を判定し、
前記無線通信機器の前記場所及び配備マッピング情報に少なくとも部分的に基づいて、前記無線通信機器によりサポートされる前記複数のＲＡＴのサブセットを選択し、前記選択されたサブセットは前記無線通信機器の前記場所に配備されると前記配備マッピング情報によって示されている１つ以上のＲＡＴのみからなり、
前記選択されたサブセット内に含まれる少なくとも１つのＲＡＴのためのサービススキャンを実行し、前記選択されたサブセット内に含まれない、前記無線通信機器によりサポートされる前記複数のＲＡＴのあらゆるＲＡＴは前記サービススキャンから除外される、
ように制御するように構成される処理回路を含むことを特徴とする、無線通信機器。
【請求項９】
前記処理回路は、前記無線通信機器が、
前記サブセット内の少なくとも１つのＲＡＴの各々のために、前記配備マッピング情報に少なくとも部分的に基づいて配備された帯域セットを選択し、対応するＲＡＴのために選択された配備された帯域セットは、前記無線通信機器の前記場所に配備されると前記配備マッピング情報によって示される、前記ＲＡＴにより用いられる少なくとも１つの帯域からなり、前記無線通信機器の前記場所に配備されないと前記配備マッピング情報によって示される、前記ＲＡＴにより用いられるあらゆる帯域を除外し、
配備された帯域セットが選択されているＲＡＴのためのサービススキャンを、前記配備された帯域セット内に含まれる帯域上でのみ実行する、
ように制御するように更に構成されることを特徴とする、請求項８に記載の無線通信機器。
【請求項１０】
前記配備マッピング情報は前記無線通信機器にあらかじめ供給されることを特徴とする、請求項８に記載の無線通信機器。
【請求項１１】
前記配備マッピング情報は、複数の場所の各場所と前記場所に配備される１つ以上のＲＡＴの対応するセットとの間のマッピングを規定することを特徴とする、請求項８に記載の無線通信機器。
【請求項１２】
前記処理回路は、前記無線通信機器が、
前記無線通信機器が動作している国を判定することに少なくとも部分的によって前記無線通信機器の前記場所を判定し、前記配備マッピング情報は複数の国の各国と前記国内に配備される１つ以上のＲＡＴの対応するセットとの間のマッピングを規定し、
前記無線通信機器が動作している前記国内に配備されると前記配備マッピング情報によって示されている１つ以上のＲＡＴからなる、前記無線通信機器によりサポートされる前記複数のＲＡＴのサブセットを選択することに少なくとも部分的によって前記サブセットを選択する、
ように制御するように更に構成されることを特徴とする、請求項８から１１のいずれか一項に記載の無線通信機器。
【請求項１３】
前記無線通信機器の前記場所を前記無線通信機器が入手可能でない場合、前記処理回路は、前記無線通信機器が、
既定のＲＡＴの優先順位付けに従って前記無線通信機器によりサポートされる前記複数のＲＡＴの少なくとも１つをスキャンし、前記既定のＲＡＴの優先順位付けは、前記複数のＲＡＴの各々により用いられる帯域の数に基づいて、最も少ない帯域を用いる最も高い優先順位のＲＡＴから最も多くの帯域を用いる最も低い優先順位のＲＡＴへと、前記無線通信機器によりサポートされる前記複数のＲＡＴを優先順位付けし、
前記既定のＲＡＴの優先順位付けに従ったスキャンを介してネットワークを見つけ、
前記見つけたネットワークにより提供される情報に少なくとも部分的に基づいて前記無線通信機器の前記場所を判定し、
前記サービススキャンを実行する前に前記既定のＲＡＴの優先順位付けに従うスキャンを中止する、
ように制御するように更に構成されることを特徴とする、請求項８から１１のいずれか一項に記載の無線通信機器。
【請求項１４】
前記既定のＲＡＴの優先順位付けは、１つ以上の第２世代（２Ｇ）のＲＡＴを最も高い優先順位のグループに、１つ以上の第３世代（３Ｇ）のＲＡＴを第２の優先順位のグループに、及び１つ以上の第４世代（４Ｇ）のＲＡＴを第３の優先順位のグループに優先順位付けすることを特徴とする、請求項１３に記載の無線通信機器。
【請求項１５】
無線通信機器によるネットワークサービススキャン時間を低減するためのコンピュータプログラム製品であって、前記コンピュータプログラム製品はそこに記憶されるコンピュータプログラムコードを有する少なくとも１つの非一時的コンピュータ可読記憶媒体を含み、前記コンピュータプログラムコードは、
前記無線通信機器の場所を判定するためのプログラムコードと、
前記無線通信機器の前記場所及び配備マッピング情報に少なくとも部分的に基づいて前記無線通信機器によりサポートされる複数の無線アクセス技術（ＲＡＴ）のサブセットを選択するためのプログラムコードであって、前記選択されたサブセットは前記無線通信機器の前記場所に配備されると前記配備マッピング情報によって示されている１つ以上のＲＡＴのみからなる、プログラムコードと、
前記選択されたサブセット内に含まれる少なくとも１つのＲＡＴのためのサービススキャンを実行するためのプログラムコードであって、前記選択されたサブセット内に含まれない、前記無線通信機器によりサポートされる前記複数のＲＡＴのあらゆるＲＡＴは前記サービススキャンから除外される、プログラムコードと、
を含むことを特徴とする、無線通信機器によるネットワークサービススキャン時間を低減するためのコンピュータプログラム製品。
【請求項１６】
前記サブセット内の少なくとも１つのＲＡＴの各々のために、前記配備マッピング情報に少なくとも部分的に基づいて配備された帯域セットを選択するためのプログラムコードであって、対応するＲＡＴのために選択された配備された帯域セットは、前記無線通信機器の前記場所に配備されると前記配備マッピング情報によって示される前記ＲＡＴにより用いられる少なくとも１つの帯域からなり、前記無線通信機器の前記場所に配備されないと前記配備マッピング情報によって示される、前記ＲＡＴにより用いられるあらゆる帯域を除外する、プログラムコードを更に含み、
前記サービススキャンを実行するための前記プログラムコードは、配備された帯域セットが選択されているＲＡＴのためのサービススキャンを、前記配備された帯域セット内に含まれる帯域上でのみ実行するためのプログラムコードを含むことを特徴とする、請求項１５に記載の無線通信機器によるネットワークサービススキャン時間を低減するためのコンピュータプログラム製品。
【請求項１７】
前記配備マッピング情報は前記無線通信機器にあらかじめ供給されることを特徴とする、請求項１５に記載の無線通信機器によるネットワークサービススキャン時間を低減するためのコンピュータプログラム製品。
【請求項１８】
前記配備マッピング情報は複数の場所の各場所と前記場所に配備される１つ以上のＲＡＴの対応するセットとの間のマッピングを規定することを特徴とする、請求項１５に記載の無線通信機器によるネットワークサービススキャン時間を低減するためのコンピュータプログラム製品。
【請求項１９】
前記無線通信機器の前記場所を判定するための前記プログラムコードは、前記無線通信機器が動作している国を判定するためのプログラムコードを含み、前記配備マッピング情報は複数の国の各国と前記国内に配備される１つ以上のＲＡＴの対応するセットとの間のマッピングを規定し、
前記サブセットを選択するための前記プログラムコードは、前記無線通信機器が動作している前記国内に配備されると前記配備マッピング情報によって示されている１つ以上のＲＡＴからなる、前記無線通信機器によりサポートされる前記複数のＲＡＴのサブセットを選択するためのプログラムコードを含むことを特徴とする、請求項１５から１８のいずれか一項に記載の無線通信機器によるネットワークサービススキャン時間を低減するためのコンピュータプログラム製品。
【請求項２０】
前記無線通信機器の前記場所を前記無線通信機器が入手可能でない場合、プログラムコードであって、
既定のＲＡＴの優先順位付けに従って前記無線通信機器によりサポートされる前記複数のＲＡＴの少なくとも１つをスキャンし、前記既定のＲＡＴの優先順位付けは、前記複数のＲＡＴの各々により用いられる帯域の数に基づいて、最も少ない帯域を用いる最も高い優先順位のＲＡＴから最も多くの帯域を用いる最も低い優先順位のＲＡＴへと、前記無線通信機器によりサポートされる前記複数のＲＡＴを優先順位付けし、
前記既定のＲＡＴの優先順位付けに従うスキャンを介してネットワークを見つけ、
前記見つけたネットワークにより提供される情報に少なくとも部分的に基づいて前記無線通信機器の前記場所を判定し、
前記サービススキャンを実行する前に、前記既定のＲＡＴの優先順位付けに従ったスキャンを中止する、プログラムコードを更に含むことを特徴とする、請求項１５から１８のいずれか一項に記載の無線通信機器によるネットワークサービススキャン時間を低減するためのコンピュータプログラム製品。
【請求項２１】
前記既定のＲＡＴの優先順位付けは、１つ以上の第２世代（２Ｇ）のＲＡＴを最も高い優先順位のグループに、１つ以上の第３世代（３Ｇ）のＲＡＴを第２の優先順位のグループに、及び１つ以上の第４世代（４Ｇ）のＲＡＴを第３の優先順位のグループに優先順位付けすることを特徴とする、請求項２０に記載の無線通信機器によるネットワークサービススキャン時間を低減するためのコンピュータプログラム製品。
【請求項２２】
無線通信機器によるネットワークサービススキャン時間を低減するための装置であって、前記装置は
前記無線通信機器の場所を判定するための手段と、
前記無線通信機器の前記場所及び配備マッピング情報に少なくとも部分的に基づいて前記無線通信機器によりサポートされる複数の無線アクセス技術（ＲＡＴ）のサブセットを選択するための手段であって、前記選択されたサブセットは前記無線通信機器の前記場所に配備されると前記配備マッピング情報によって示されている１つ以上のＲＡＴのみからなる、手段と、
前記選択されたサブセット内に含まれる少なくとも１つのＲＡＴのためのサービススキャンを実行するための手段であって、前記選択されたサブセット内に含まれない、前記無線通信機器によりサポートされる前記複数のＲＡＴのあらゆるＲＡＴは前記サービススキャンから除外される手段と、
を含むことを特徴とする無線通信機器によるネットワークサービススキャン時間を低減するための装置。
【請求項２３】
前記サブセット内の少なくとも１つのＲＡＴの各々のために、前記配備マッピング情報に少なくとも部分的に基づいて配備された帯域セットを選択するための手段であって、対応するＲＡＴのために選択された配備された帯域セットは、前記無線通信機器の前記場所に配備されると前記配備マッピング情報によって示される前記ＲＡＴにより用いられる少なくとも１つの帯域からなり、前記無線通信機器の前記場所に配備されないと前記配備マッピング情報によって示される、前記ＲＡＴにより用いられるあらゆる帯域を除外する、手段を更に含み、
前記サービススキャンを実行するための前記手段は、配備された帯域セットが選択されているＲＡＴのためのサービススキャンを、前記配備された帯域セット内に含まれる帯域上でのみ実行するための手段を含むことを特徴とする、請求項２２に記載の無線通信機器によるネットワークサービススキャン時間を低減するための装置。
【請求項２４】
前記配備マッピング情報は、前記無線通信機器にあらかじめ供給されることを特徴とする、請求項２２に記載の無線通信機器によるネットワークサービススキャン時間を低減するための装置。
【請求項２５】
前記配備マッピング情報は、複数の場所の各場所と前記場所に配備される１つ以上のＲＡＴの対応するセットとの間のマッピングを規定することを特徴とする、請求項２２に記載の無線通信機器によるネットワークサービススキャン時間を低減するための装置。
【請求項２６】
前記無線通信機器の前記場所を判定するための前記手段は、前記無線通信機器が動作している国を判定するための手段を含み、前記配備マッピング情報は複数の国の各国と前記国内に配備される１つ以上のＲＡＴの対応するセットとの間のマッピングを規定し、
前記サブセットを選択するための前記手段は、前記無線通信機器が動作している前記国内に配備されると前記配備マッピング情報によって示されている１つ以上のＲＡＴからなる、前記無線通信機器によりサポートされる前記複数のＲＡＴのサブセットを選択するための手段を含むことを特徴とする、請求項２２〜２５のいずれか一項に記載の無線通信機器によるネットワークサービススキャン時間を低減するための装置。
【請求項２７】
前記無線通信機器の前記場所を前記無線通信機器が入手可能でない場合、手段であって、
既定のＲＡＴの優先順位付けに従って前記無線通信機器によりサポートされる前記複数のＲＡＴの少なくとも１つをスキャンし、前記既定のＲＡＴの優先順位付けは、前記複数のＲＡＴの各々により用いられる帯域の数に基づいて、最も少ない帯域を用いる最も高い優先順位のＲＡＴから最も多くの帯域を用いる最も低い優先順位のＲＡＴへと、前記無線通信機器によりサポートされる前記複数のＲＡＴを優先順位付けし、
前記既定のＲＡＴの優先順位付けに従うスキャンを介してネットワークを見つけ、
前記見つけたネットワークにより提供される情報に少なくとも部分的に基づいて前記無線通信機器の前記場所を判定し、
前記サービススキャンを実行する前に、前記既定のＲＡＴの優先順位付けに従ったスキャンを中止する、手段を更に含むことを特徴とする、請求項２２〜２５のいずれか一項に記載の無線通信機器によるネットワークサービススキャン時間を低減するための装置。
【請求項２８】
前記既定のＲＡＴの優先順位付けは、１つ以上の第２世代（２Ｇ）のＲＡＴを最も高い優先順位のグループに、１つ以上の第３世代（３Ｇ）のＲＡＴを第２の優先順位のグループに、及び１つ以上の第４世代（４Ｇ）のＲＡＴを第３の優先順位のグループに優先順位付けすることを特徴とする、請求項２７に記載の無線通信機器によるネットワークサービススキャン時間を低減するための装置。
【発明の詳細な説明】
【技術分野】
【０００１】
記載されている実施形態は、一般に、無線通信技術に関し、より詳細には、無線通信機器によるネットワークサービススキャン時間を低減することに関する。
【背景技術】
【０００２】
近年の無線通信機器の機能をサポートするためのより迅速なデータ転送速度を提供するロングタームエボリューション（ＬＴＥ）などの新規無線アクセス技術（ＲＡＴ）は開発され続け、急速に配備され続けている。これらのより新規のＲＡＴは、多くの場合、旧来のレガシーＲＡＴと重なり合ったカバレッジのエリア内に共同配備される。例えば、ロングタームエボリューション（ＬＴＥ）ネットワークは移動体用大域通信（ＧＳＭ（登録商標））ネットワークなどの第二世代（２Ｇ）のネットワーク及び／又はユニバーサル移動体通信システム（ＵＭＴＳ）ネットワークなどの第三世代（３Ｇ）のネットワークと重なり合ったカバレッジの領域内に開発され、配備されつつある。しかしながら、共同配備されたＲＡＴのカバレッジエリアは、多くの場合、同一の広がりをもたない。更に、幾つかのＲＡＴはある領域内に配備され得るが、その他の領域内には配備され得ない。
【０００３】
配備内に多数のＲＡＴがあること、及び多種のＲＡＴの普遍的な配備が一般的にないことを考えると、近年の無線通信機器は、多くの場合、機器が種々のＲＡＴのカバレッジのエリア間で移動することが可能である移動シナリオにおける機器の継続的なネットワーク接続性を可能にするように複数のＲＡＴ上の動作をサポートするマルチモード機器としての動作のために構成される。更に、各ＲＡＴが、一般に、複数の帯域を用いることが可能であるため、マルチモード機器は、サポートされるＲＡＴにより用いられることが可能である各帯域上の動作のために構成されることが可能である。
【発明の概要】
【発明が解決しようとする課題】
【０００４】
マルチモード無線通信機器が最初に電源が入る及び／又はアウトオブサービス（ＯＯＳ）状態から回復することを試みている場合、機器はＲＡＴ／帯域が、機器が動作している領域内に配備されるかどうかに関係なく利用可能な無線信号を検出することを試みるために機器によりサポートされる各ＲＡＴにより用いられる全ての帯域をスキャンするように現状構成される。そのため、機器は、機器の動作領域内に一様には配備されない帯域（単数又は複数）及び／又はＲＡＴ（単数又は複数）のためのサービススキャンを実行する時間及びバッテリー電力を浪費し得る。
【課題を解決するための手段】
【０００５】
本明細書に開示される幾つかの例示的実施形態は無線通信機器によるネットワークサービススキャン時間の低減を提供する。更に詳細には、幾つかの例示的実施形態は、無線通信機器の場所に基づいて、サービススキャンを実行するＲＡＴ及び／又は帯域の数を制限することを提供する。この関連で、かかる例示的実施形態の無線通信機器は対応する場所のＲＡＴ及び／又は帯域の配備を示す配備マッピング情報を供給されることができる。そのため、かかる例示的実施形態の無線通信機器は、自身の場所及び配備マッピング情報に基づいて、無線通信機器の場所に配備される、無線通信機器によりサポートされるＲＡＴ及び／又は帯域のサブセットを判定することが可能であり、サービススキャンの実行をこれらのＲＡＴ／帯域に制限し得る。かくして、無線通信機器によりサポートされる全てのＲＡＴ及び帯域上においてサービススキャンを実行するのでなく、サービススキャンを無線通信機器の場所に配備されるＲＡＴ及び／又は帯域に制限することにより、かかる例示的実施形態によってサービススキャン時間は低減可能である。更に、かかる例示的実施形態はスキャン時間の低減の結果として無線通信機器によるバッテリー消費量を低減可能である。
【０００６】
第１の実施形態において、無線通信機器によるネットワークサービススキャン時間を低減するための方法が提供される。第１の実施形態の方法は、無線通信機器が、無線通信機器の場所を判定することを含むことが可能である。第１の実施形態の方法は、無線通信機器の場所及び配備マッピング情報に少なくとも部分的に基づいて、無線通信機器が、無線通信機器によりサポートされる複数のＲＡＴのサブセットを選択することを更に含むことが可能である。選択されたサブセットは無線通信機器の場所に配備されると配備マッピング情報によって示されている１つ以上のＲＡＴのみからなることが可能である。第１の実施形態のこの方法は、無線通信機器が、選択されたサブセット内に含まれる少なくとも１つのＲＡＴのためのサービススキャンを実行することを追加的に含むことが可能である。無線通信機器によりサポートされる複数のＲＡＴのうちの選択されたサブセットには含まれないあらゆるＲＡＴはサービススキャンから除外され得る。
【０００７】
第２の実施形態において、無線通信機器が提供される。第２の実施形態の無線通信機器は、少なくとも一つの送受信機及び少なくとも一つの送受信機に結合された処理回路を含み得る。少なくとも一つの送受信機は無線通信機器によりサポートされる複数のＲＡＴによってデータを送受信するように構成され得る。第２の実施形態の処理回路は無線通信機器の場所を判定するために無線通信機器を制御するように構成され得る。第２の実施形態の処理回路は、無線通信機器の場所及び配備マッピング情報に少なくとも部分的に基づいて無線通信機器によりサポートされる複数のＲＡＴのサブセットを選択するために、無線通信機器を制御するように更に構成され得る。選択されたサブセットは無線通信機器の場所に配備されると配備マッピング情報によって示されている１つ以上のＲＡＴのみからなることが可能である。第２の実施形態の処理回路は、選択されたサブセット内に含まれる少なくとも１つのＲＡＴのためのサービススキャンを実行するために無線通信機器を制御するように追加的に構成され得る。無線通信機器によりサポートされる複数のＲＡＴのうちの選択されたサブセットには含まれないあらゆるＲＡＴはサービススキャンから除外され得る。
【０００８】
第３の実施形態では、無線通信機器によるネットワークサービススキャン時間を低減するためのコンピュータプログラム製品が提供される。第３の実施形態のコンピュータプログラム製品は、そこに記憶されるプログラムコードを有する少なくとも１つの非一時的コンピュータ可読記憶媒体を含み得る。第３実施形態のプログラムコードは無線通信機器の場所を判定するためのプログラムコードを含むことが可能である。第３実施形態のプログラムコードは、無線通信機器の場所及び配備マッピング情報に少なくとも部分的に基づいて無線通信機器によりサポートされる複数のＲＡＴのサブセットを選択するためのプログラムコードを更に含むことが可能である。選択されたサブセットは無線通信機器の場所に配備されると配備マッピング情報によって示されている１つ以上のＲＡＴのみからなることが可能である。第３実施形態のプログラムコードは選択されたサブセット内に含まれる少なくとも１つのＲＡＴのためのサービススキャンを実行するためのプログラムコードを追加的に含むことが可能である。無線通信機器によりサポートされる複数のＲＡＴのうちの選択されたサブセットには含まれないあらゆるＲＡＴはサービススキャンから除外され得る。
【０００９】
第４の実施形態において、無線通信機器によるネットワークサービススキャン時間を低減するための装置が提供される。第４実施形態の装置は無線通信機器の場所を判定するための手段を含むことが可能である。第４の実施形態の装置は、無線通信機器の場所及び配備マッピング情報に少なくとも部分的に基づいて無線通信機器によりサポートされる複数のＲＡＴのサブセットを選択するための手段を更に含むことが可能である。選択されたサブセットは無線通信機器の場所に配備されると配備マッピング情報によって示されている１つ以上のＲＡＴのみからなることが可能である。第４の実施形態の装置は選択されたサブセット内に含まれる少なくとも１つのＲＡＴのためのサービススキャンを実行するための手段を追加的に含むことが可能である。無線通信機器によりサポートされる複数のＲＡＴのうちの選択されたサブセットには含まれないあらゆるＲＡＴはサービススキャンから除外され得る。
【００１０】
本概要は、本開示に係る幾つかの態様に関する基本的な理解を提供するために、幾つかの例示的実施形態を要約する目的でのみ提供されるものである。そのため、上記の例示的実施形態は単に例であって、本開示の趣旨又は範囲をいかなる意味においても狭めると解釈すべきでないことが理解されよう。他の実施形態、態様、及び利点は、例として、記載される実施形態の原理を例示する添付図とともに考慮される、下記の「発明を実施するための形態」から明らかとなるであろう。
【００１１】
説明される実施形態、及びその利点は、添付図面と併せて以下の説明を参照することによって、最も良好に理解することができる。これらの図面は必ずしも縮尺どおりに描画されておらず、説明される実施形態の趣旨及び範囲から逸脱することなく、当業者によって、説明される実施形態に実施することができる、形態及び詳細のいかなる変更も、決して限定するものではない。
【図面の簡単な説明】
【００１２】
【図１】幾つかの例示的実施形態に係る、無線通信システムを示す。
【図２】幾つかの例示的実施形態に係る、無線通信機器上に実装可能な装置のブロック図を示す。
【図３】幾つかの例示的実施形態に係る、スキャンされるＲＡＴの数を制限することにより無線通信機器によるネットワークサービススキャン時間を低減する例示的な方法に従うフローチャートを示す。
【図４】幾つかの例示的実施形態に係る、スキャンされる帯域の数を制限することにより無線通信機器によるネットワークサービススキャン時間を低減する例示的な方法に従うフローチャートを示す。
【図５】幾つかの例示的実施形態に係る、無線通信機器によるネットワークサービススキャン時間を低減する例示的な方法に従うフローチャートを示す。
【図６】幾つかの例示的実施形態に係る、無線通信機器によるネットワークサービススキャン時間を低減する別の例示的な方法に従うフローチャートを示す。
【発明を実施するための形態】
【００１３】
従来のマルチモード無線通信機器が最初に電源が入るか又はアウトオブサービス（ＯＯＳ）状態から回復することを試みている場合、機器は利用可能な無線信号を検出することを試みるために機器によりサポートされる各ＲＡＴにより用いられる全ての帯域をスキャンするように構成される。しかしながら、ＲＡＴ及び帯域の配備は普遍的ではない。したがって、従来の無線通信機器は、ＲＡＴ／帯域が、機器が動作している領域内に配備されるかどうかに関係なく、サポートされるＲＡＴ及び帯域のためのサービススキャンを実行する。例えば、ＴＤ−ＳＣＤＭＡは中国においてのみ配備されるが、時分割同期符号多元接続（ＴＤ−ＳＣＤＭＡ）ネットワーク上の動作をサポートする近年の無線通信機器は、合衆国において動作しているとしてもＴＤ−ＳＣＤＭＡカバレッジをスキャンする。別の例として、ＧＳＭは日本において配備されない。しかしながら、ＧＳＭの動作をサポートする近年の無線通信機器は、日本において動作しているとしてもＧＳＭカバレッジをスキャンする。更なる別の例として、所定のＲＡＴはＲＡＴの規格に従って特定の帯域のセット内の任意の帯域を用いると規定され得る。しかしながら、所定の国などの所定の場所のＲＡＴの配備は、例えばネットワークオペレータが帯域を用いる資格を有さない、帯域がその場所で用いられることが許容されていない及び／又はその他の理由がある場合、ＲＡＴにより用いられることが可能な１つ以上の帯域を用いることができない。それにもかかわらず、帯域（単数又は複数）が機器の場所に配備されないとしても、近年の無線通信機器はＲＡＴにより用いられることが可能な全ての帯域をスキャンする。かくして、現在の無線通信機器が、機器が動作しているエリア内に配備されないＲＡＴ及び／又は帯域のためのスキャンをすることによりかなりの時間が浪費され得る。過剰なスキャン時間は、また、無線通信機器による過剰なバッテリー消費をもたらし得る。
【００１４】
本明細書に開示される幾つかの例示的実施形態は無線通信機器によるネットワークサービススキャン時間を低減し、したがって、従来の無線通信機器における過度の不必要なサービススキャンの問題に対処する。更に詳細には、幾つかの例示的実施形態は、無線通信機器の場所に基づいてサービススキャンを実行するＲＡＴ及び／又は帯域の数を制限することを提供する。この関連で、かかる例示的実施形態の無線通信機器は対応する場所のＲＡＴの配備及び／又は帯域の配備を示す配備マッピング情報を供給されることができる。そのため、かかる例示的実施形態の無線通信機器は、配備マッピング情報を用いて、無線通信機器の場所に配備される、無線通信機器によりサポートされるＲＡＴ及び／又は帯域のサブセットを判定することが可能であり、機器の動作の場所に配備されないＲＡＴ及び／又は帯域をサービススキャンから除外し得る。かくして、無線通信機器によりサポートされる全てのＲＡＴ及び／又は全ての帯域上においてサービススキャンを実行するのでなく、サービススキャンを無線通信機器の場所に配備されるＲＡＴ及び／又は帯域に制限することによりかかる例示的実施形態によりサービススキャン時間は低減可能である。更に、かかる例示的実施形態はスキャン時間の低減の結果として無線通信機器による電力（例えば、バッテリー）消費を低減可能である。
【００１５】
図１は、幾つかの例示的実施形態による通信システム１００を示す。システム１００は複数のＲＡＴ上の動作をサポートするように構成されたマルチモード機器であり得る無線通信機器１０２を含むことが可能である。非限定例として、無線通信機器１０２は移動端末、セルラ電話、スマートフォン、タブレットコンピューティング機器、ラップトップコンピュータ、デスクトップコンピュータ及び／又は無線ネットワーク上の通信をサポートするように構成することが可能であるその他のコンピューティング機器として具体化することが可能である。
【００１６】
システム１００は公衆陸上移動ネットワーク（ＰＬＭＮ）としても知られている１つ以上のセルラネットワークなどの１つ以上の無線ネットワークを含むことが可能である。例えば、システム１００はＬＴＥ、ＬＴＥ−Ａｄｖａｎｃｅｄ（ＬＴＥ−Ａ）及び／若しくはその他の４ＧセルラＲＡＴなどの１つ以上の第４世代（４Ｇ）セルラＲＡＴ、広帯域符号分割多重アクセス（ＷＣＤＭＡ（登録商標））、ＴＤ−ＳＣＤＭＡ、ユニバーサル移動体通信システム（ＵＭＴＳ）、ＣＤＭＡ２０００及び／若しくはその他の３ＧセルラＲＡＴなどの１つ以上の第３世代（３Ｇ）のセルラＲＡＴ、ＧＳＭ及び／若しくはその他の２ＧセルラＲＡＴなどの１つ以上の第２世代（２Ｇ）セルラＲＡＴ、並びに／又はその他の現在の若しくは将来開発されるセルラＲＡＴを用いるネットワーク（単数又は複数）を含むことが可能である。しかしながら、本明細書に開示される実施形態はセルラネットワークのためのネットワークサービススキャンの環境における適用に制限されないと理解されよう。かくして、幾つかの例示的実施形態は、セルラＲＡＴに加えて又はセルラＲＡＴの代わりに、ワイヤレスローカルエリアネットワーク（ＷＬＡＮ）ＲＡＴ、ＷｉＭＡＸネットワーク及び／又はその他の非セルラＲＡＴなどの非セルラＲＡＴを用いた無線ネットワークのためのネットワークサービススキャンに適用させることが可能であると理解されよう。
【００１７】
無線通信機器１０２は、そのため、各々対応するＲＡＴを用いる、１つ以上の無線ネットワークが配備される領域内に位置し得る。システム１００内に配備されるネットワークは、基地局１０４などの無線ネットワークアクセスポイント、及び／又はその他の無線ネットワークアクセスポイントを介して無線通信機器１０２によりアクセスされ得る。この関連で、無線通信機器１０２は１つ以上の基地局１０４及び／又は１つ以上のその他の無線ネットワークアクセスポイントの範囲内であり得る。無線通信機器１０２は、そのため、電源を入れる及び／又はＯＯＳ状態から回復することを試みるときなどに、無線通信機器１０２の信号範囲内の１つ以上の基地局１０４及び／又はその他の無線ネットワークアクセスポイント（単数又は複数）からの信号を検出するためにサービススキャンを実行することにより、機器の範囲内のネットワーク（単数又は複数）を見つけるように構成され得る。
【００１８】
図２は、幾つかの例示的実施形態による無線通信機器１０２に実装可能な装置２００のブロック図を示す。この関連で、無線通信機器１０２などのコンピューティング機器に実装される場合、装置２００は、１つ以上の例示的実施形態に従って、コンピューティング機器がシステム１００内で動作し、ネットワークサービススキャンを実行することを可能にすることができる。以下で図２に例示され、同図に関して記載される構成要素、機器又は要素は、必須ではなく、したがって、一部は、特定の実施形態において省略できることが理解されよう。更に、幾つかの実施形態は、図２に例示され、同図に関して記載されるものに加えて、又はそれらとは別の、構成要素、機器又は要素を含み得る。
【００１９】
幾つかの例示的実施形態において、装置２００は、本明細書に開示された１つ以上の例示的実施形態に係るアクションを実行するように構成可能な処理回路２１０を含み得る。この関連で、処理回路２１０は、種々の例示的実施形態に係る装置２００の１つ以上の機能を実行するように、及び／又は実行を制御するよう構成することができ、それにより、種々の例示的実施形態に係る装置２００の機能を実行するための手段を提供することができる。処理回路２１０は、１つ以上の例示的実施形態によるデータ処理、アプリケーション実行及び／又はその他の処理、並びに管理サービスを実行するように構成できる。
【００２０】
幾つかの実施形態において、装置２００、又は処理回路２１０などの装置２００の部分（単数又は複数）若しくはその構成要素（単数又は複数）は、各々が１つ以上のチップを含み得る１つ以上のチップセットを含み得る。したがって、処理回路２１０及び／又は装置２００の１つ以上の更なる構成要素は、場合によっては、チップセット上に一実施形態を実装するように構成できる。装置２００の１つ以上の構成要素がチップセットとして具体化されている幾つかの例示的実施形態において、そのチップセットは、コンピューティング機器上に実装される場合、又はさもなければコンピューティング機器に操作可能に結合される場合、コンピューティング機器がシステム１００内で動作することを可能にすることができる。したがって、例えば、装置２００の１つ以上の構成要素が、コンピューティング機器が１つ以上のセルラＲＡＴ上で動作することを可能にするよう構成される、セルラベースバンドチップセットなどのチップセットを提供することが可能である。
【００２１】
幾つかの例示的実施形態では、処理回路２１０は、プロセッサ２１２を含むことができ、図２に示すような幾つかの実施形態では、更に、メモリ２１４を含むことができる。処理回路２１０は、送受信機（単数又は複数）２１６及び／又はスキャン制御モジュール２１８と通信可能であるか、又は別の方法でそれらを制御することができる。
【００２２】
プロセッサ２１２は、種々の形で具体化することができる。例えば、プロセッサ２１２は、マイクロプロセッサ、コプロセッサ、コントローラ、又は、例えば、特定用途向け集積回路（ＡＳＩＣ）、フィールドプログラマブルゲートアレイ（ＦＰＧＡ）、それらの幾つかの組み合わせなどの集積回路を含む他の種々のコンピューティング機器若しくは処理機器など、種々のハードウェアベースの処理手段として具体化することができる。単一プロセッサとして図示されるが、プロセッサ２１２は、複数のプロセッサで構成され得ることが理解されよう。複数のプロセッサは互いに動作通信が可能であり、本明細書に記載されるように装置２００及び／又は無線通信機器１０２の１つ以上の機能を実行するように集合的に構成され得る。幾つかの例示的実施形態において、プロセッサ２１２は、メモリ２１４に記憶され得る命令又は別の方法でプロセッサ２１２にアクセスできる命令を実行するように構成できる。例えば、幾つかの例示的実施形態では、プロセッサ２１２は、例えばバスを介して、メモリ２１４に結合することが可能である汎用コンピューティングプロセッサとして具体化することが可能であり、メモリ２１４内に記憶することが可能な命令の実行を通じて１つ以上の例示的実施形態に従って動作を実行するように構成することが可能である。そのため、プロセッサ２１２は、ハードウェア又はハードウェアとソフトウェアとの組み合わせのどちらによって構成されていても、それに応じて構成され、種々の実施形態に係る動作を実行することが可能であり得る。
【００２３】
幾つかの例示的実施形態において、メモリ２１４は、１つ以上のメモリ機器を含み得る。メモリ２１４は、固定型及び／又は着脱式メモリ機器を含み得る。幾つかの実施形態において、メモリ２１４は、プロセッサ２１２によって実行され得るコンピュータプログラム命令を記憶できる非一時的コンピュータ可読記憶媒体を提供できる。この関連で、メモリ２１４は、装置２００が１つ以上の例示的実施形態に係る種々の機能を実行できるようにするための情報、データ、アプリケーション、命令などを記憶するように構成できる。幾つかの実施形態において、メモリ２１４は、装置２００の構成要素間で情報を渡すためのバス（又はバス群）を介して、プロセッサ２１２、送受信機（単数又は複数）２１６、又はスキャン制御モジュール２１８のうちの１つ以上と通信することができる。
【００２４】
装置２００は送受信機（単数又は複数）２１６として示されている１つ以上の送受信機を更に含むことが可能である。送受信機（単数又は複数）２１６は装置２００が複数のＲＡＴに従い無線信号を送受信することを可能にすることができる。かくして、送受信機（単数又は複数）３１６は、無線通信機器１０２によってサポート可能な任意のＲＡＴを介してデータの通信をサポートするように構成することが可能である。送受信機（単数又は複数）２１６は、そのため、無線通信機器１０２が基地局１０４を検出し、基地局１０４と通信することを可能にするように構成され得る。
【００２５】
装置２００は、スキャン制御モジュール２１８を更に含むことができる。スキャン制御モジュール２１８は、回路、ハードウェア、コンピュータ可読媒体（例えば、メモリ２１４）上に記憶され、処理機器（例えば、プロセッサ２１２）によって実行されるコンピュータ可読プログラム命令を含む、コンピュータプログラム製品、又はこれらの幾つかの組み合わせなどの、種々の手段として具体化できる。幾つかの実施形態において、プロセッサ２１２（又は処理回路２１０）は、スキャン制御モジュール２１８を含む、又はさもなければそれを制御することができる。
【００２６】
無線通信機器１０２は、対応する場所のＲＡＴの配備及び／又は帯域の配備を示す配備マッピング情報を供給されることができる。この関連で、配備マッピング情報は対応する場所のための、並びにその場所に配備される１つ以上のＲＡＴ及び／又は帯域のセットのためのマッピングを規定することが可能である。スキャン制御モジュール２１８は、そのため、配備マッピング情報を用いて、無線通信機器１０２が動作している場所に配備されるＲＡＴ（単数又は複数）及び／又は帯域（単数又は複数）を判定するように構成され得る。
【００２７】
種々の例示的実施形態により、配備マッピング情報は配備情報をマッピングするための任意の種々の場所の粒度のレベルを用いることが可能である。例えば、幾つかの例示的実施形態では、配備マッピング情報は複数の国の各対応する国内に配備されるＲＡＴ（単数又は複数）及び／又は帯域（単数又は複数）のセットを示す国レベルの配備情報を含むことが可能である。しかしながら、本開示の範囲内において粒度のその他のレベルが考えられると理解されよう。例えば、配備マッピング情報は対応する大陸、国家、州、地域、都市、地方自治体、郵便番号、（例えば、ＧＰＳ及び／又はその他の衛星測位システムの使用を介して判定することが可能であるような）座標位置並びに／又は１つ以上のその他の地理的及び／又は政治的場所の単位のためのＲＡＴ／帯域配備情報を追加的に又は代替的に含むことが可能である。
【００２８】
配備マッピング情報を任意の種々のソースを介することにより無線通信機器１０２に供給することが可能である。例えば、機器メーカーにより製造の際に配備マッピング情報を無線通信機器１０２に供給することが可能である。別の例として、機器に実装することが可能なオペレーティングシステムの構成要素として場所マッピング情報を無線通信機器１０２に供給することが可能である。なお更なる例として、ネットワークオペレータにより場所マッピング情報を無線通信機器１０２に供給することが可能である。幾つかの例示的実施形態では、配備マッピング情報は、例えば、周期的に、及び／又は機器メーカー、ネットワークオペレータ、オペレーティングシステム開発者などの事業体により維持することが可能である配備マッピング情報が更新された配備情報を反映するために更新される場合に更新することが可能である。この関連で、無線通信機器１０２は、例えば無線通信を利用した（ＯＴＡ）技術を介して、更新された配備マッピング情報を供給されることが可能である、及び／又は、さもなければ、更新された配備マッピング情報をダウンロードすることが可能である。
【００２９】
スキャン制御モジュール２１８は、配備マッピング情報を用いて、無線通信機器１０２の場所に配備される、無線通信機器１０２によりサポートされるＲＡＴのサブセットを判定するように構成することが可能である。例えば、サービススキャンを実行する前に、幾つかの例示的実施形態のスキャン制御モジュール２１８は、機器の場所に基づいてＲＡＴの能力を動的に設定するためのプロトコルスタックを制御するように構成され得る。
【００３０】
そのため、例えば無線通信機器１０２がＯＯＳ状態から回復することを試みているとき及び／又は無線通信機器１０２の電源が入り、ネットワークサービスを取得することを試みているとき、サービススキャンを実行するとき、スキャン制御モジュール２１８は、サービススキャンを機器の場所に配備されることが既知のＲＡＴ（単数又は複数）のスキャンに制限するように構成され得る一方で、機器の場所に配備されていないＲＡＴのスキャンを除外する。したがって、例えば、無線通信機器１０２が中国における動作のために構成され、ＴＤ−ＳＣＤＭＡをサポートするが、合衆国においてローミングしている場合、配備マッピング情報を用いてサービススキャンからＴＤ−ＳＣＤＭＡを除外することを判定することが可能である。
【００３１】
図３は幾つかの例示的実施形態による、スキャンされるＲＡＴの数を制限することにより無線通信機器１０２によるネットワークサービススキャン時間を低減する例示的な方法に従うフローチャートを示す。この関連で、図３は、幾つかの例示的実施形態による、無線通信機器１０２によって実行できる動作を示している。処理回路２１０、プロセッサ２１２、メモリ２１４、送受信機（単数又は複数）２１６、又はスキャン制御モジュール２１８のうちの１つ以上が、例えば、図３に図示され、同図に関して説明される動作を実行するための手段を提供することができる。
【００３２】
動作３００において、無線通信機器１０２は電源を入れることが可能であるか又はＯＯＳ状態にある可能性がある。動作３１０は、無線通信機器１０２が、無線通信機器１０２の場所を判定することを含むことができる。
【００３３】
無線通信機器１０２は、動作３１０において自身の場所を判定するために任意の種々の技術を用いることが可能である。例えば、無線通信機器１０２が全地球測位サービス（ＧＰＳ）センサなどの衛星測位センサを有する実施形態では、無線通信機器１０２は自身の場所を判定するためにＧＰＳ及び／又はその他の衛星測位サービスから得た位置データを用いることが可能である。別の例として、無線通信機器１０２は、動作３１０において、ブロードキャストされ得るか又はさもなければＷＬＡＮアクセスポイントなどの無線ネットワークアクセスポイントから受信可能である場所情報を用いて、自身の場所を判定することが可能である。
【００３４】
更なる別の例として、幾つかの例示的実施形態の無線通信機器１０２は、動作３１０において自身の場所を判定するために、無線通信機器１０２が電源を切る前に及び／又はＯＯＳ状態になる前に接続されていた最後のネットワーク（単数又は複数）から得られている場合がある、国識別コード（ＭＣＣ）、セルＩＤ及び／又はその他の場所識別子を用いることが可能である。幾つかの例示的実施形態では、最後のネットワークへの接続が喪失／停止してから経過した時間が閾値以下である場合、無線通信機器１０２が接続されていた最後のネットワークの場所は有効であると考えることが可能である。しかしながら、最後のネットワークへの接続が喪失／停止してから経過した時間が閾値以上である場合、最後のネットワークの場所は動作３１０の実行のための機器の現在の場所として有効であると考えることはできない。
【００３５】
幾つかの例示的実施形態では、前述の技術のうちの１つの適用を介してなどで、機器の場所を無線通信機器が入手可能でない場合、無線通信機器１０２は、自身の場所を判定するために図６に関して以下に例示され、同図に関して記載した方法に従ってスキャンを実行するように構成され得る。
【００３６】
動作３２０は、無線通信機器１０２が、動作３１０において判定される場所及び無線通信機器１０２にあらかじめ供給された配備マッピング情報に少なくとも部分的に基づいて、無線通信機器１０２によりサポートされる複数のＲＡＴのサブセットを選択することを含むことが可能である。例えば、配備マッピング情報が複数の国の各国とその国内に配備される１つ以上の対応するＲＡＴのセットとの間のマッピングを規定する幾つかの実施形態では、動作３２０は、無線通信機器１０２が、無線通信機器が動作している国内に配備されると配備マッピング情報によって示されている１つ以上のＲＡＴを含むサブセットを選択することを含むことが可能である。無線通信機器１０２が動作している場所に配備されると配備マッピング情報により示されていない、無線通信機器１０２によりサポートされるＲＡＴ（単数又は複数）は、動作３２０において判定されたサブセットから除外され得る。
【００３７】
動作３３０は、無線通信機器１０２が、選択されたサブセット内に含まれる少なくとも１つのＲＡＴのためのサービススキャンを実行することを含むことが可能である。無線通信機器１０２によりサポートされる複数のＲＡＴのうちの、選択されたサブセットには含まれないあらゆるＲＡＴはサービススキャンから除外される。
【００３８】
この方法は、無線通信機器１０２が、動作３３０において見つけたネットワークにキャンプオンすることを含むことができる動作３４０を更に任意に含むことが可能である。
【００３９】
配備マッピング情報が１つ以上の対応するＲＡＴにより用いられることが可能である帯域が場所に配備されるかどうかを示す幾つかの例示的実施形態では、スキャン制御モジュール２１８は配備マッピング情報を用いて、無線通信機器１０２の動作の場所に配備される１つ以上のＲＡＴのために配備された帯域セットを選択するように構成され得る。この関連で、ＲＡＴのために選択された配備された帯域セットは、無線通信機器１０２の場所に配備されると配備マッピング情報により示されているＲＡＴにより用いられる少なくとも１つの帯域からなり得、無線通信機器１０２の場所に配備されると配備マッピング情報により示されていない、ＲＡＴにより用いられるあらゆる帯域を除外し得る。そのため、配備された帯域セットが選択されているＲＡＴのためのサービススキャンを実行するとき、幾つかの例示的実施形態のスキャン制御モジュール２１８は、サービススキャンを、無線通信機器１０２の場所に配備されることが既知の帯域（単数又は複数）のみに制限するように構成することが可能である。
【００４０】
図４は幾つかの例示的実施形態による、スキャンされる帯域の数を制限することにより無線通信機器１０２によるネットワークサービススキャン時間を低減する例示的な方法従うフローチャートを示す。この関連で、図４は、幾つかの例示的実施形態による、無線通信機器１０２によって実行できる動作を示している。処理回路２１０、プロセッサ２１２、メモリ２１４、送受信機（単数又は複数）２１６、又はスキャン制御モジュール２１８のうちの１つ以上が、例えば、図４に図示され、同図に関して説明される動作を実行するための手段を提供することができる。
【００４１】
動作４００において、無線通信機器１０２は電源を入れることが可能であるか又はＯＯＳ状態にある可能性がある。動作４１０は、無線通信機器１０２が、無線通信機器１０２の場所を判定することを含むことができる。動作４１０は、例えば、動作３１０に関して記載されている技術の一つ以上を用いて実行可能である。
【００４２】
動作４２０は、無線通信機器１０２が、無線通信機器１０２の場所及び配備マッピング情報に少なくとも部分的に基づいてＲＡＴのための配備された帯域セットを選択することを含むことが可能である。配備された帯域セットは無線通信機器１０２の場所に配備されると配備マッピング情報により示されている、ＲＡＴにより用いられる少なくとも１つの帯域を含むことが可能であり、無線通信機器１０２の場所に配備されると配備マッピング情報により示されていない、ＲＡＴにより用いられるあらゆる帯域を除外し得る。
【００４３】
幾つかの例示的実施形態では、図４に関して記載されているようにスキャンされる帯域の数を制限するための技術は、図３に関して記載されているようにスキャンされるＲＡＴの数を制限するための技術と組み合わせることが可能である。幾つかのかかる例示的実施形態では、動作４２０は動作３２０において判定することが可能であるサブセット内の１つ以上のＲＡＴの各々のために実行可能である。
【００４４】
動作４３０は、無線通信機器１０２が、動作４２０において判定された配備された帯域セット内に含まれる帯域（単数又は複数）上のみでＲＡＴのためのサービススキャンを実行することを含むことが可能である。そのため、所定の場所のＲＡＴの配備がＲＡＴの規格に従ってＲＡＴにより用いられることが可能な全ての帯域の配備を含まない場合、配備されない帯域（単数又は複数）をスキャンすることを回避することが可能である。
【００４５】
幾つかの例示的実施形態では、動作３３０の実行に付随して動作４３０は１回以上実行可能である。この関連で、動作４３０は、動作３２０において帯域の配置セットが選択されたと判定され得る（複数のＲＡＴから選択される）ＲＡＴのサブセット内のＲＡＴのためのサービススキャンを実行するために用いることが可能である。
【００４６】
図５は幾つかの例示的実施形態による、無線通信機器１０２によるネットワークサービススキャン時間を低減する例示的な方法に従うフローチャートを示す。この関連で、図５は、幾つかの例示的実施形態による、無線通信機器１０２の場所に基づいてサービススキャンを実行するＲＡＴ及び１つ以上のＲＡＴの帯域の両方を動的に制限するように構成することが可能な、無線通信機器１０２によって実行可能である動作を示す。処理回路２１０、プロセッサ２１２、メモリ２１４、送受信機（単数又は複数）２１６、又はスキャン制御モジュール２１８のうちの１つ以上が、例えば、図５に図示され、同図に関して説明される動作を実行する手段を提供することができる。
【００４７】
動作５００において、無線通信機器１０２は電源を入れることが可能であるか又はＯＯＳ状態にある可能性がある。動作５１０は、無線通信機器１０２が、無線通信機器１０２の場所を判定することを含むことができる。動作５１０は、例えば、動作３１０に関して記載されている技術の一つ以上を用いて実行可能である。
【００４８】
動作５２０は、無線通信機器１０２が、無線通信機器１０２の場所及び配備マッピング情報に少なくとも部分的に基づいて無線通信機器１０２によりサポートされる複数のＲＡＴ及び帯域のＲＡＴ／帯域のサブセットを選択することを含むことが可能である。この関連で、動作５２０は、例えば、動作３２０に従って無線通信機器１０２によりサポートされるＲＡＴのサブセットを選択することを含むことが可能である。動作５２０は、動作４２０に関連して記載されているように、無線通信機器１０２の場所に配備されると判定された１つ以上のＲＡＴの各々のために、配備された帯域セットを判定することを更に含むことが可能である。そのため、その場所に配備されていない、無線通信機器１０２によりサポートされるあらゆるＲＡＴはＲＡＴ／帯域のサブセットから除外され得る。更に、配備されたＲＡＴにより用いられる全ての帯域より少ない帯域がその場所に配備される場合、その場所に配備されていない帯域（単数又は複数）はＲＡＴ／帯域のサブセットから除外され得る。
【００４９】
動作５３０は、無線通信機器１０２が、選択されたＲＡＴ／帯域のサブセットを用いてサービススキャンを実行することを含むことが可能である。無線通信機器１０２によりサポートされる複数のＲＡＴ及び帯域のうちの選択されたサブセットには含まれないあらゆるＲＡＴ／帯域はサービススキャンから除外され得る。この方法は、無線通信機器１０２が、見つけたＲＡＴ／帯域にキャンプオンすることを含むことが可能である動作５４０を更に任意に含むことが可能である。
【００５０】
無線通信機器１０２の場所を無線通信機器１０２が入手可能でない場合、例えば動作３１０に関して記載されている技術の１つ以上を介して、無線通信機器１０２はサービススキャンを実行する前に、ネットワークをスキャンすることによりロケーションスキャンを実行するように構成することが可能である。この関連で、機器の場所を、ブロードキャストされ得るか又はさもなければセルラ及び／若しくはその他の無線ネットワークによりシグナリングされ得る情報から得ることができる。例えば、セルラネットワーク（例えば、ＰＬＭＮ）はネットワークが配備される国を示す移動体通信用国番号（ＭＣＣ）をシグナリングすることが可能であり、幾つかの例示的実施形態の無線通信機器１０２がそれを用いて自身の動作の場所を判定することが可能である。
【００５１】
無線通信機器１０２の場所を得るためにロケーションスキャンを用いる実施施形態では、さもなければ場所を無線通信機器１０２が入手可能でない場合、スキャン制御モジュール２１８は、既定のＲＡＴの優先順位付けに従って、最も高い優先順位のＲＡＴから始めて無線通信機器１０２によりサポートされる複数のＲＡＴの少なくとも１つのために全帯域スキャン（例えば、ＲＡＴにより用いられる全ての帯域）を実行するように更に構成され得る。幾つかの例示的実施形態では、既定のＲＡＴの優先順位付けは、複数のＲＡＴの各々により用いられる帯域の数に基づいて、最も少ない帯域を用いる最も高い優先順位のＲＡＴから、最も多くの帯域を用いる最も低い優先順位のＲＡＴへと、無線通信機器１０２によりサポートされる複数のＲＡＴの優先順位付けすることが可能である。この関連で、より多い帯域を用いるＲＡＴのスキャンよりも、より少ない帯域を用いるＲＡＴのスキャンの方がかかる時間が少ない可能性がある。かくして、より少ない帯域を用いるＲＡＴをより高い優先順位に順位付けすることにより無線通信機器１０２が自身の場所をより迅速に判定する役に立つことが可能である。
【００５２】
幾つかの例示的実施形態では、既定のＲＡＴの優先順位付けは、ロケーションスキャンの実行のために、１つ以上の第２世代（２Ｇ）のＲＡＴを最も高い優先順位のグループに、１つ以上の第３世代（３Ｇ）のＲＡＴを第２の優先順位のグループに、及び１つ以上の第４世代（４Ｇ）のＲＡＴを第３の優先順位のグループに優先順位付けすることが可能である（例えば、２Ｇ＞３Ｇ＞４Ｇ）。この関連で、以下の表１から明らかなように、ＬＴＥは、ＧＳＭより多くの帯域を有するＵＭＴＳより多くの帯域を有する。かくして、ＬＴＥのための全帯域スキャンを実行することはＧＳＭ及びＵＭＴＳより多くの時間がかかる可能性がある。そのため、ＧＳＭが自身の場所に配備されるならば、ＧＳＭを第一に順位付けることにより無線通信機器１０２が自身の場所をより迅速に判定することを手助けすることが可能である。
【００５３】
【表１】
2016521094.tif 000003
【００５４】
無線通信機器１０２がロケーションスキャンの実行を介して自身の場所を判定した後、スキャン制御モジュール３１８は全帯域スキャンを中止する（例えば、中断する）ように構成されることが可能であり、（例えば、動作３３０、４３０又は５３０の１つ以上に従って）サービススキャンを実行する前にサービススキャンを実行するためのＲＡＴ（単数又は複数）及び／又は帯域（単数又は複数）を選択するために動作３２０、４２０又は５２０の１つ以上を進行し得る。
【００５５】
図６は、幾つかの例示的実施形態による、無線通信機器１０２によるネットワークサービススキャン時間を低減する別の例示的な方法に従うフローチャートを示す。この関連で、図６は、幾つかの例示的実施形態による、無線通信機器１０２によって実行できる動作を示している。処理回路２１０、プロセッサ２１２、メモリ２１４、送受信機（単数又は複数）２１６、又はスキャン制御モジュール２１８のうちの１つ以上が、例えば、図６に図示され、同図に関して説明される動作を実行するための手段を提供することができる。
【００５６】
動作６００において、無線通信機器１０２は電源を入れることが可能であるか又はＯＯＳ状態にある可能性がある。しかしながら、無線通信機器１０２の場所は、分かっていないか又は、さもなければ、無線通信機器１０２が入手可能でない場合がある。
【００５７】
動作６１０は、無線通信機器１０２が、既定のＲＡＴの優先順位付け（例えば、２Ｇ＞３Ｇ＞４Ｇ）に従って無線通信機器１０２によりサポートされる複数のＲＡＴの少なくとも１つのためのスキャンをすることを含むことが可能である。動作６１０はネットワークが見つかるまでスキャンされる各対応するＲＡＴのための完全な帯域のセットを通したスキャンの実行を含むことが可能である。
【００５８】
動作６２０は、無線通信機器１０２が、ネットワーク（例えば、ＰＬＭＮ）を見つけ、動作６１０のロケーションスキャンを中止することを含むことが可能である。したがって、一旦ネットワークが見出されると、更なるＲＡＴ／帯域のためのスキャンをし続けることなくスキャンは中止され得る。無線通信機器１０２の場所は、例えばＭＣＣから、並びに／又は、ブロードキャストされ得る、及び／又は、さもなければ見出されたネットワークによりシグナリングされ得るその他の情報から見出されたネットワークから知ることができる。
【００５９】
動作６３０は、無線通信機器１０２が、無線通信機器１０２の場所及び配備マッピング情報に少なくとも部分的に基づいて無線通信機器１０２によりサポートされる複数のＲＡＴのサブセットを選択することを含むことが可能である。この関連で、動作６３０は、動作３２０の一実施形態に対応し得る。配備マッピング情報が帯域の配備のために利用可能である場合、動作６３０は動作４２０及び／又は動作５２０に関して記載されているような１つ以上のＲＡＴの各々のために配備された帯域セットを判定することを更に含むことが可能である。
【００６０】
動作６４０は、無線通信機器１０２が、動作６３０において選択されたサブセット内に含まれる少なくとも１つのＲＡＴのためのサービススキャンを実行することを含むことが可能である。無線通信機器１０２によりサポートされる複数のＲＡＴのうちの、選択されたサブセットには含まれないあらゆるＲＡＴはサービススキャンから除外され得る。この関連で、動作６４０は、動作３３０の一実施形態に対応し得る。配備された帯域セット（単数又は複数）が判定される実施形態では、配備された帯域セットが判定されるＲＡＴのためのサービススキャンの実行は、配備された帯域セット内の帯域（単数又は複数）に制限され得る一方で、動作４３０に関連して記載されているように、無線通信機器１０２の場所に配備されていないあらゆる帯域（単数又は複数）を除外する。
【００６１】
この方法は、無線通信機器１０２が、サービススキャンの実行を介して見つけたネットワークにキャンプオンすることを含むことが可能である動作６５０を更に任意に含むことが可能である。
【００６２】
説明される実施形態の種々の態様、実施形態、実装、又は特徴は、個別に、若しくは任意の組み合わせで用いることが可能である。説明される実施形態の種々の態様は、ソフトウェア、ハードウェア、又はハードウェアとソフトウェアとの組み合わせによって実施することができる。説明される実施形態はまた、製造作業を制御するためのコンピュータ可読媒体上のコンピュータ可読コードとして、又は製造ラインを制御するためのコンピュータ可読媒体上のコンピュータ可読コードとして具体化することもできる。このコンピュータ可読媒体は、後にコンピュータシステムによって読み込むことが可能なデータを記憶することができる、任意のデータ記憶機器である。コンピュータ可読媒体の例としては、読み出し専用メモリ、ランダムアクセスメモリ、ＣＤ−ＲＯＭ、ＨＤＤ、ＤＶＤ、磁気テープ、及び光学的データ記憶機器が挙げられる。コンピュータ可読媒体はまた、そのコンピュータ可読コードが分散方式で記憶及び実行されるように、ネットワーク結合されたコンピュータシステム上に分散させることもできる。
【００６３】
上記詳細な説明では、説明の一部を成すとともに、記載された実施形態に係る具体的な実施形態が例として示された添付の図面を参照した。これらの実施形態は、当業者が説明されている実施形態を実施できるように十分詳細に説明されているが、これらの例は限定的なものでなく、そのため、他の実施形態が用いられてもよく、説明されている実施形態の趣旨又は範囲から逸脱せずに変更が行われてもよいということが理解されよう。
【００６４】
更に、上記の説明は、説明の都合上、記載された実施形態についての理解を徹底するために、具体的な呼称を用いた。しかしながら、それらの具体的詳細は、記載される実施形態を実践するために必須のものではないことが、当業者には明らかとなるであろう。したがって、上述の具体的な実施形態の説明は、例示及び説明の目的のために提示される。上記の説明に提示された実施形態に関して開示されている実施例の説明は、文脈を加え、記載された実施形態の理解を支援する目的でのみ提供されている。この説明は、排他的であることも、記載された実施形態を開示されたそのものの形態に制限することも意図しない。上記教示を鑑み、多くの改変、代替用途、及び変形例が可能であることが、当業者にとって明らかであろう。この関連で、これらの具体的詳細の一部又は全部がなくても記載された実施形態が実施され得ることは、当業者であれば容易に理解するであろう。更に、幾つかの事例では、記載された実施形態を無用に曖昧にすることを避けるために、周知の処理工程は詳細には記載されていない。
【図１】
2016521094.tif 000004
【図２】
2016521094.tif 000005
【図３】
2016521094.tif 000006
【図４】
2016521094.tif 000007
【図５】
2016521094.tif 000008
【図６】
2016521094.tif 000009
【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
無線通信機器によるネットワークサービススキャン時間を低減するための方法であって、前記方法は、前記無線通信機器が、
前記無線通信機器の場所を判定することと、
前記無線通信機器の前記場所及び配備マッピング情報に少なくとも部分的に基づいて前記無線通信機器によりサポートされる複数の無線アクセス技術（ＲＡＴ）のサブセットを選択することであって、前記選択されたサブセットは前記無線通信機器の前記場所に配備されると前記配備マッピング情報によって示されている１つ以上のＲＡＴのみからなる、選択することと、
前記選択されたサブセット内に含まれる少なくとも１つのＲＡＴのためのサービススキャンを実行することと、
を含み、
前記選択されたサブセット内に含まれない、前記無線通信機器によりサポートされる前記複数のＲＡＴのあらゆるＲＡＴは前記サービススキャンから除外されることを特徴とする方法。
【請求項２】
前記無線通信機器が、
前記サブセット内の少なくとも１つのＲＡＴの各々のために、前記配備マッピング情報に少なくとも部分的に基づいて配備された帯域セットを選択することを更に含み、
各ＲＡＴのために選択された配備された帯域セットは、前記無線通信機器の前記場所に配備されると前記配備マッピング情報によって示される、前記ＲＡＴにより用いられる少なくとも１つの帯域からなり、前記無線通信機器の前記場所に配備されないと前記配備マッピング情報によって示される、前記ＲＡＴにより用いられるあらゆる帯域を除外し、
前記サービススキャンを実行することが、配備された帯域セットが選択されているＲＡＴのためのサービススキャンを、前記配備された帯域セット内に含まれる帯域上でのみ実行することを特徴とする、請求項１に記載の方法。
【請求項３】
前記配備マッピング情報は、前記無線通信機器にあらかじめ供給されることを特徴とする、請求項１に記載の方法。
【請求項４】
前記配備マッピング情報は、複数の場所の各場所と前記場所に配備される１つ以上のＲＡＴの対応するセットとの間のマッピングを規定することを特徴とする、請求項１に記載の方法。
【請求項５】
前記無線通信機器の前記場所を判定することは、前記無線通信機器が動作している国を判定することを含み、前記配備マッピング情報は複数の国の各国と前記国の中に配備される１つ以上のＲＡＴの対応するセットとの間のマッピングを規定し、
前記サブセットを選択することは、前記無線通信機器が動作している前記国の中に配備されると前記配備マッピング情報によって示されている１つ以上のＲＡＴからなる、前記無線通信機器によりサポートされる前記複数のＲＡＴのサブセットを選択することを含むことを特徴とする、請求項１から４のいずれか１項に記載の方法。
【請求項６】
前記無線通信機器の前記場所を前記無線通信機器が入手可能でない場合、前記方法は、前記無線通信機器が、
既定のＲＡＴの優先順位付けに従って前記無線通信機器によりサポートされる前記複数のＲＡＴの少なくとも１つをスキャンすることであって、前記既定のＲＡＴの優先順位付けは、前記複数のＲＡＴの各々により用いられる帯域の数に基づいて、最も少ない帯域を用いる最も高い優先順位のＲＡＴから最も多くの帯域を用いる最も低い優先順位のＲＡＴへと、前記無線通信機器によりサポートされる前記複数のＲＡＴを優先順位付けする、スキャンすることと、
前記既定のＲＡＴの優先順位付けに従ったスキャンを介してネットワークを見つけることと、
前記見つけたネットワークにより提供される情報に少なくとも部分的に基づいて前記無線通信機器の前記場所を判定することと、
前記サービススキャンを実行する前に、前記既定のＲＡＴの優先順位付けに従ったスキャンを中止することと、
を含むことを特徴とする、請求項１から４のいずれか１項に記載の方法。
【請求項７】
前記既定のＲＡＴの優先順位付けは、１つ以上の第２世代（２Ｇ）のＲＡＴを最も高い優先順位のグループに、１つ以上の第３世代（３Ｇ）のＲＡＴを第２の優先順位のグループに、及び１つ以上の第４世代（４Ｇ）のＲＡＴを第３の優先順位のグループに優先順位付けすることを特徴とする、請求項６に記載の方法。
【請求項８】
無線通信機器であって、
前記無線通信機器によりサポートされる複数の無線アクセス技術（ＲＡＴ）に従ってデータを送受信するように構成された、少なくとも１つの送受信機と、
前記少なくとも１つの送受信機に結合された処理回路であって、前記処理回路は、前記無線通信機器が、少なくとも、
前記無線通信機器の場所を判定し、
前記無線通信機器の前記場所及び配備マッピング情報に少なくとも部分的に基づいて、前記無線通信機器によりサポートされる前記複数のＲＡＴのサブセットを選択し、前記選択されたサブセットは前記無線通信機器の前記場所に配備されると前記配備マッピング情報によって示されている１つ以上のＲＡＴのみからなり、
前記選択されたサブセット内に含まれる少なくとも１つのＲＡＴのためのサービススキャンを実行し、前記選択されたサブセット内に含まれない、前記無線通信機器によりサポートされる前記複数のＲＡＴのあらゆるＲＡＴは前記サービススキャンから除外される、
ように制御するように構成される、前記処理回路と、
を含むことを特徴とする、無線通信機器。
【請求項９】
前記処理回路は、前記無線通信機器が、
前記サブセット内の少なくとも１つのＲＡＴの各々のために、前記配備マッピング情報に少なくとも部分的に基づいて配備された帯域セットを選択し、各ＲＡＴのために選択された配備された帯域セットは、前記無線通信機器の前記場所に配備されると前記配備マッピング情報によって示される、前記ＲＡＴにより用いられる少なくとも１つの帯域からなり、前記無線通信機器の前記場所に配備されないと前記配備マッピング情報によって示される、前記ＲＡＴにより用いられるあらゆる帯域を除外し、
配備された帯域セットが選択されているＲＡＴのためのサービススキャンを、前記配備された帯域セット内に含まれる帯域上でのみ実行する、
ように制御するように更に構成されることを特徴とする、請求項８に記載の無線通信機器。
【請求項１０】
前記配備マッピング情報は前記無線通信機器にあらかじめ供給されることを特徴とする、請求項８に記載の無線通信機器。
【請求項１１】
前記配備マッピング情報は、複数の場所の各場所と前記場所に配備される１つ以上のＲＡＴの対応するセットとの間のマッピングを規定することを特徴とする、請求項８に記載の無線通信機器。
【請求項１２】
前記処理回路は、前記無線通信機器が、
前記無線通信機器が動作している国を判定することに少なくとも部分的に基づいて前記無線通信機器の前記場所を判定し、前記配備マッピング情報は複数の国の各国と前記国の中に配備される１つ以上のＲＡＴの対応するセットとの間のマッピングを規定し、
前記無線通信機器が動作している前記国の中に配備されると前記配備マッピング情報によって示されている１つ以上のＲＡＴからなる、前記無線通信機器によりサポートされる前記複数のＲＡＴのサブセットを選択することに少なくとも部分的によって前記サブセットを選択する、
ように制御するように更に構成されることを特徴とする、請求項８から１１のいずれか１項に記載の無線通信機器。
【請求項１３】
前記無線通信機器の前記場所を前記無線通信機器が入手可能でない場合、前記処理回路は、前記無線通信機器が、
既定のＲＡＴの優先順位付けに従って前記無線通信機器によりサポートされる前記複数のＲＡＴの少なくとも１つをスキャンし、前記既定のＲＡＴの優先順位付けは、前記複数のＲＡＴの各々により用いられる帯域の数に基づいて、最も少ない帯域を用いる最も高い優先順位のＲＡＴから最も多くの帯域を用いる最も低い優先順位のＲＡＴへと、前記無線通信機器によりサポートされる前記複数のＲＡＴを優先順位付けし、
前記既定のＲＡＴの優先順位付けに従ったスキャンを介してネットワークを見つけ、
前記見つけたネットワークにより提供される情報に少なくとも部分的に基づいて前記無線通信機器の前記場所を判定し、
前記サービススキャンを実行する前に前記既定のＲＡＴの優先順位付けに従うスキャンを中止する、
ように制御するように更に構成されることを特徴とする、請求項８から１１のいずれか１項に記載の無線通信機器。
【請求項１４】
前記既定のＲＡＴの優先順位付けは、１つ以上の第２世代（２Ｇ）のＲＡＴを最も高い優先順位のグループに、１つ以上の第３世代（３Ｇ）のＲＡＴを第２の優先順位のグループに、及び１つ以上の第４世代（４Ｇ）のＲＡＴを第３の優先順位のグループに優先順位付けすることを特徴とする、請求項１３に記載の無線通信機器。
【請求項１５】
コンピュータ可読記憶媒体に記憶され、無線通信機器によるネットワークサービススキャン時間を低減するためのコンピュータプログラムであって、前記コンピュータプログラムは、
前記無線通信機器の場所を判定するためのプログラムコードと、
前記無線通信機器の前記場所及び配備マッピング情報に少なくとも部分的に基づいて前記無線通信機器によりサポートされる複数の無線アクセス技術（ＲＡＴ）のサブセットを選択するためのプログラムコードであって、前記選択されたサブセットは前記無線通信機器の前記場所に配備されると前記配備マッピング情報によって示されている１つ以上のＲＡＴのみからなる、プログラムコードと、
前記選択されたサブセット内に含まれる少なくとも１つのＲＡＴのためのサービススキャンを実行するためのプログラムコードであって、前記選択されたサブセット内に含まれない、前記無線通信機器によりサポートされる前記複数のＲＡＴのあらゆるＲＡＴは前記サービススキャンから除外される、プログラムコードと、
を含むことを特徴とする、コンピュータプログラム。
【請求項１６】
前記サブセット内の少なくとも１つのＲＡＴの各々のために、前記配備マッピング情報に少なくとも部分的に基づいて配備された帯域セットを選択するためのプログラムコードであって、各ＲＡＴのために選択された配備された帯域セットは、前記無線通信機器の前記場所に配備されると前記配備マッピング情報によって示される前記ＲＡＴにより用いられる少なくとも１つの帯域からなり、前記無線通信機器の前記場所に配備されないと前記配備マッピング情報によって示される、前記ＲＡＴにより用いられるあらゆる帯域を除外する、プログラムコードを更に含み、
前記サービススキャンを実行するための前記プログラムコードは、配備された帯域セットが選択されているＲＡＴのためのサービススキャンを、前記配備された帯域セット内に含まれる帯域上でのみ実行するためのプログラムコードを含むことを特徴とする、請求項１５に記載のコンピュータプログラム。
【請求項１７】
前記配備マッピング情報は前記無線通信機器にあらかじめ供給されることを特徴とする、請求項１５に記載のコンピュータプログラム。
【請求項１８】
前記配備マッピング情報は複数の場所の各場所と前記場所に配備される１つ以上のＲＡＴの対応するセットとの間のマッピングを規定することを特徴とする、請求項１５に記載のコンピュータプログラム。
【請求項１９】
前記無線通信機器の前記場所を判定するための前記プログラムコードは、前記無線通信機器が動作している国を判定するためのプログラムコードを含み、前記配備マッピング情報は複数の国の各国と前記国の中に配備される１つ以上のＲＡＴの対応するセットとの間のマッピングを規定し、
前記サブセットを選択するための前記プログラムコードは、前記無線通信機器が動作している前記国の中に配備されると前記配備マッピング情報によって示されている１つ以上のＲＡＴからなる、前記無線通信機器によりサポートされる前記複数のＲＡＴのサブセットを選択するためのプログラムコードを含むことを特徴とする、請求項１５から１８のいずれか１項に記載のコンピュータプログラム。
【請求項２０】
前記無線通信機器の前記場所を前記無線通信機器が入手可能でない場合のためのプログラムコードであって、
既定のＲＡＴの優先順位付けに従って前記無線通信機器によりサポートされる前記複数のＲＡＴの少なくとも１つをスキャンし、前記既定のＲＡＴの優先順位付けは、前記複数のＲＡＴの各々により用いられる帯域の数に基づいて、最も少ない帯域を用いる最も高い優先順位のＲＡＴから最も多くの帯域を用いる最も低い優先順位のＲＡＴへと、前記無線通信機器によりサポートされる前記複数のＲＡＴを優先順位付けし、
前記既定のＲＡＴの優先順位付けに従うスキャンを介してネットワークを見つけ、
前記見つけたネットワークにより提供される情報に少なくとも部分的に基づいて前記無線通信機器の前記場所を判定し、
前記サービススキャンを実行する前に、前記既定のＲＡＴの優先順位付けに従ったスキャンを中止する、前記プログラムコードを更に含むことを特徴とする、請求項１５から１８のいずれか１項に記載のコンピュータプログラム。
【国際調査報告】
2016521094.tif 000010
2016521094.tif 000011